(57)【特許請求の範囲】
【請求項１】
局側の電話ケーブルに接続されている第１の端子板と、端末側の電話ケーブルに接続されている第２の端子板との間の経路に対するバイパス経路を構成するための電話端子板の無瞬断代用端子板であって、
前記局側の電話ケーブルの電話ケーブル心線の中心導体に圧入接続される複数のＵスリット端子を有した第１の端子板本体と、
この第１の端子板本体に対し連結ケーブルによって接続され、前記端末側の電話ケーブルの電話ケーブル心線の中心導体に圧入接続される複数のＵスリット端子を有した第２の端子板本体とを具備し、
また、前記第１の端子板本体又は第２の端子板本体に連結ケーブルを介して第１のコネクタが接続されており、前記第１の端子板本体及び第２の端子板本体によるバイパス経路中に監視装置を介在させるとき、前記第１のコネクタと前記監視装置の第２のコネクタとを接続し、他方の前記第１の端子板本体又は第２の端子板本体の連結ケーブルと前記監視装置とを接続して、
前記第１の端子板本体及び第２の端子板本体による前記バイパス経路が構成された後、前記第１の端子板と第２の端子板との間の経路の撤去が行われることを特徴とする電話端子板の無瞬断代用端子板。
【請求項２】
前記第１の端子板本体及び第２の端子板本体のＵスリット端子の取付面側には、グリースの付設されたキャップが装着されることを特徴とする請求項１記載の電話端子板の無瞬断代用端子板。
【発明の詳細な説明】
【０００１】
【発明の属する技術分野】
本発明は、加入者側の回線の瞬断を伴うことなく既存の電話端子板の変更やビル用集合保安器等の増設を可能とする電話端子板の無瞬断代用端子板に関する。
【０００２】
【従来の技術】
多数の電話回線を必要とする構造物には、電話ケーブル（中心導体を絶縁被覆した心線の複数本を一括したもの）が使用されるが、そのケーブル端末の心線処理や接続には、１０Ｌ端子等の電話端子板が使用されている。
【０００３】
すなわち、図５に示すように、局側からの電話ケーブル１０はジャンパ線２０が介在されている１０Ｌ端子板３０，４０を介して加入者宅側である端末側に引き込まれるようになっている。
【０００４】
【発明が解決しようとする課題】
ところで、従来の電話ケーブル１０では、地下からの引き込みを行う形態の場合、雷や他の電気設備との混触等による事故が少ないものと予想されることか  ら、保安器を取り付ける必要が無かったが、近年では、遠隔切り分け機能を備えるために、ビル用の集合保安器を取り付ける例が多くなっている。
【０００５】
この場合、既設回線に保安器を取り付けようとすると、回線経路を一旦遮断してからの作業が強いられるため、その間の回線使用が不能となったり、工事の度に加入者に中断の知らせを告げて了解を得る等の必要があるため、加入者に対して不便を感じさせるばかりか、作業に対しての手間と時間とが掛かるという不具合があった。
【０００６】
本発明は、このような事情に対処してなされたもので、加入者側の回線の瞬断を伴うことなく既存の電話端子板の変更やビル用集合保安器等の監視装置の増設を、適切且つ確実に行うことができる電話端子板の無瞬断代用端子板を提供することを目的とする。
【０００７】
【課題を解決するための手段】
請求項１記載の発明は、局側の電話ケーブルに接続されている第１の端子板と、端末側の電話ケーブルに接続されている第２の端子板との間の経路に対するバイパス経路を構成するための電話端子板の無瞬断代用端子板であって、前記局側の電話ケーブルの電話ケーブル心線の中心導体に圧入接続される複数のＵスリット端子を有した第１の端子板本体と、この第１の端子板本体に対し連結ケーブルによって接続され、前記端末側の電話ケーブルの電話ケーブル心線の中心導体に圧入接続される複数のＵスリット端子を有した第２の端子板本体とを具備し、また、前記第１の端子板本体又は第２の端子板本体に連結ケーブルを介して第１のコネクタが接続されており、前記第１の端子板本体及び第２の端子板本体によるバイパス経路中に監視装置を介在させるとき、前記第１のコネクタと前記監視装置の第２のコネクタとを接続し、他方の前記第１の端子板本体又は第２の端子板本体の連結ケーブルと前記監視装置とを接続して、前記第１の端子板本体及び第２の端子板本体による前記バイパス経路が構成された後、前記第１の端子板と第２の端子板との間の経路の撤去が行われることを特徴とする。
【０００８】
この発明では、第１の端子板と第２の端子板とを回線に存在させた状態で、第１の端子板本体のＵスリット端子に局側の電話ケーブルの電話ケーブル心線の中心導体を圧入接続し、第２の端子板本体のＵスリット端子に端末側の電話ケーブルの電話ケーブル心線の中心導体を圧入接続することで、第１の端子板と第２の端子板との間の経路に対するバイパス経路を構成することができ、この状態で第１の端子板と第２の端子板との間の経路の撤去を行うことにより、回線の瞬断を伴うことなく既存の電話端子板の変更作業が行われる。
【０００９】
また、第１の端子板と第２の端子板とは連結ケーブルによって接続されているため、既存の第１の端子板と第２の端子板との間の経路長の制約を受けずに電話端子板の変更作業が行われる。
【００１１】
また、第１の端子板本体及び第２の端子板本体によるバイパス経路中に監視装置を介在させるとき、第１のコネクタと監視装置の第２のコネクタとを接続し、他方の第１の端子板本体又は第２の端子板本体の連結ケーブルと監視装置とを接続することで、第１の端子板と第２の端子板との間の経路に対するバイパス経路を構成することができ、この状態で第１の端子板と第２の端子板との間の経路の撤去を行うことにより、回線の瞬断を伴うことなく監視装置の増設作業が行われる。
【００１２】
請求項２記載の発明は、前記第１の端子板本体及び第２の端子板本体のＵスリット端子の取付面側には、グリースの付設されたキャップが装着されることを特徴とする。
【００１３】
この発明では、グリースの付設されたキャップを第１の端子板本体及び第２の端子板本体のＵスリット端子の取付面側に装着することで、多湿状態にあってもＵスリット端子への水分の付着等が防止され、腐食等の発生が抑制される状態に維持される。
【００１４】
【発明の実施の形態】
以下、本発明の実施の形態の詳細を図面に基づいて説明する。なお、以下に説明する図において、図５と共通する部分には同一符号を付し重複する説明を省略する。
【００１５】
図１は、本発明の電話端子板の無瞬断代用端子板をビル用集合保安器の取り付けに適用した場合の一実施の形態を示すものである。
【００１６】
同図に示すように、本実施の形態では、２種類の無瞬断代用端子板５０，６０が用意されている。
【００１７】
すなわち、無瞬断代用端子板５０は上述した局側の電話ケーブル１０に接続されるものであり、端子板本体５１に対してキャップ５２が着脱自在に装着されるようになっている。また、端子板本体５１には、ケーブル５３ａを介してＰＡＴコネクタ５４が接続されており、ビル用集合保安器７０側のケーブル７１の先端に取り付けられているコネクタ７２に接合されている。
【００１８】
一方、無瞬断代用端子板６０は上述した端末側の電話ケーブル１１側に接続されるものであり、端子板本体６１に対してキャップ６２が着脱自在に装着されるようになっている。なお、この無瞬断代用端子板６０にあっては、上述したようなＰＡＴコネクタ５４は省かれており、無瞬断代用端子板６０側のケーブル６３ａを介してビル用集合保安器７０が接続されている。
【００１９】
図２は、上記の端子板本体５１（６１）及びキャップ５２（６２）の詳細を示すものである。
【００２０】
同図に示すように、端子板本体５１（６１）内部には、Ｕスリット５５（６  ４）を有した複数のＵスリット端子５６（６５）が埋設されている。
【００２１】
それぞれのＵスリット５５（６４）上部には、後述する電話ケーブル心線１０ａ（１１ａ）を径方向からＵスリット端子５６（６５）側に導くためのＵ溝５７（６６）が形成されている。
【００２２】
一方、キャップ５２（６２）側には、上記のＵスリット端子５６（６５）に対応させた押さえ込み片部５３（６３）が設けられており、キャップ５２（６２）が端子板本体５１（６１）に装着されることによって、各Ｕスリット端子５６  （６５）に圧入された電話ケーブル心線１０ａ（１１ａ）を上方から押さえ込むようになっている。
【００２３】
すなわち、たとえば図３に示すように、電話ケーブル心線１０ａ（１１ａ）がＵ溝５７（６６）から径方向に差し込まれ、各Ｕスリット端子５６（６５）のスリット５５ａ（６５ａ）に圧入されると、両圧接片５５ｂ（６５ｂ）が電話ケーブル心線１０ａ（１１ａ）の絶縁被覆１０ｂ（１１ｂ）に食い込み、中心導体１０ｃ（１１ｃ）に接触する。これにより、中心導体１０ｃ（１１ｃ）とＵスリット端子５６（６５）との導通がとられるようになっている。
【００２４】
よって、上記のように、キャップ５２（６２）の装着により、押さえ込み片部５３（６３）が上方から電話ケーブル心線１０ａを押さえ込むことで、中心導体１０ｃ（１１ｃ）とＵスリット端子５６（６５）との導通状態が維持されるようになっている。
【００２５】
続いて、以上のような構成の無瞬断代用端子板５０，６０によるビル用集合保安器７０の取付け方法を、図４を用いて説明する。
【００２６】
まず、既存の１０Ｌ端子板３０の上部側の電話ケーブル心線１０ａ及び１０Ｌ端子板４０の下部側の電話ケーブル心線１１ａの位置へ無瞬断代用端子板５０，６０の端子板本体５１，６１を取り付ける。
【００２７】
次いで、局側からの電話ケーブル１０の電話ケーブル心線１０ａを端子板本体５１に装着する。
【００２８】
この場合、上述したように、電話ケーブル心線１０ａをＵ溝５７から径方向に差し込み、さらにＵスリット端子５６のスリット５５ａに圧入する。これによ  り、両圧接片５５ｂが電話ケーブル心線１０ａの絶縁被覆１０ｂに食い込み、中心導体１０ｃに接触することで、中心導体１０ｃとＵスリット端子５６との導通がとられる。
【００２９】
このような作業を順次行い、全ての電話ケーブル心線１０ａの装着を終えた  後、端子板本体５１にキャップ５２を装着する。これにより、上述したように、キャップ５２の押さえ込み片部５３が上方から電話ケーブル心線１０ａを押さえ込むため、中心導体１０ｃとＵスリット端子５６との導通状態が維持される。
【００３０】
一方、端末側の電話ケーブル１１の電話ケーブル心線１１ａを端子板本体６１側に装着する場合も上記同様にして行われる。
【００３１】
すなわち、上述したように、電話ケーブル心線１１ａをＵ溝６６から径方向に差し込み、さらにＵスリット端子６４のスリット６５ａに圧入する。これによ  り、両圧接片６５ｂが電話ケーブル心線１１ａの絶縁被覆１１ｂに食い込み、中心導体１１ｃに接触することで、中心導体１１ｃとＵスリット端子６５との導通がとられる。
【００３２】
このような作業を順次行い、全ての電話ケーブル心線１１ａの装着を終えた  後、端子板本体６１にキャップ６２を装着する。これにより、上述したように、キャップ６２の押さえ込み片部６３が上方から電話ケーブル心線１１ａを押さえ込むため、中心導体１１ｃとＵスリット端子６５との導通状態が維持される。
このとき、無瞬断代用端子板５０側のＰＡＴコネクタ５４とビル用集合保安器７０側のコネクタ７２とを接続するとともに、無瞬断代用端子板６０側のケーブル６３ａとビル用集合保安器７０とを接続しておく。
【００３３】
以上のような作業により、無瞬断代用端子板５０〜ビル用集合保安器７０〜無瞬断代用端子板６０によって、既存の１０Ｌ端子板３０〜ジャンパ線２０〜１０Ｌ端子板４０の経路に対するバイパス経路が構成される。
【００３４】
したがって、この状態で、既存の１０Ｌ端子板３０〜ジャンパ線２０〜１０Ｌ端子板４０間の経路を撤去することにより、回線の瞬断を伴うことなくビル用集合保安器７０の取付けが行われる。
【００３５】
このように、本実施の形態では、第１の端子板本体としての端子板本体５１及び第２の端子板本体としての端子板本体６１によるバイパス経路中に監視装置としてのビル用集合保安器７０を介在させるとき、第１のコネクタとしての端子板本体５１側のＰＡＴコネクタ５４とビル用集合保安器７０側のコネクタ７２とを接続し、端子板本体６１側のケーブル６３ａとビル用集合保安器７０とを接続することで、第１の端子板としての１０Ｌ端子板３０と第２の端子板としての１０Ｌ端子板４０との間の経路に対するバイパス経路を構成することができ、この状態で１０Ｌ端子板３０〜ジャンパ線２０〜１０Ｌ端子板４０間の経路の撤去を行うことにより、回線の瞬断を伴うことなくビル用集合保安器７０の増設作業を行うことができる。
【００３６】
また、ビル用集合保安器７０を取り付ける際、１０対用のコネクタを取り付ける必要があるが、現在使われている１０対用コネクタは心線の余長が７０ｃｍ以上ないと接続することができない。
【００３７】
さらに、このコネクタを接続する場合には、専用の工具が必要であり、この専用の工具は縦横高さが各６０ｃｍ程度以上の空間がないと使用することができない。
【００３８】
したがって、このような場合であっても、本実施の形態の無瞬断代用端子板５０，６０を用いることにより、ビル用集合保安器７０の取り付けに際して、上記のような制約事項を緩和することができる。
【００３９】
また、本実施の形態では、既存の１０Ｌ端子板３０と１０Ｌ端子板４０とを回線に存在させた状態で、端子板本体５１のＵスリット端子５６に局側の電話ケーブル１０の電話ケーブル心線１０ａの中心導体１０ｃを圧入接続し、端子板本体６１のＵスリット端子６５に端末側の電話ケーブル１１の電話ケーブル心線１１ａの中心導体１１ｃを圧入接続することで、既存の１０Ｌ端子板３０と１０Ｌ端子板４０との間の経路に対するバイパス経路を構成することができ、この状態で１０Ｌ端子板３０と１０Ｌ端子板４０との間の経路の撤去を行うことにより、回線の瞬断を伴うことなく既存の１０Ｌ端子板３０と１０Ｌ端子板４０の変更作業を行うこともできる。
【００４０】
さらに、端子板本体５１，６１とは連結ケーブルによって接続されているた  め、既存の１０Ｌ端子板３０と１０Ｌ端子板４０との間の経路長の制約を受けずに１０Ｌ端子板３０と１０Ｌ端子板４０の変更作業を行うことができる。
【００４１】
なお、本実施の形態では、キャップ５２，６２を端子板本体５１，６１に対して単に装着するようにした場合について説明したが、この例に限らず、グリース等を封入したキャップ５２，６２を装着するようにしてもよく、この場合には、多湿状態においてもＵスリット端子５６，６５の腐食などを抑制することが可能となる。
【００４２】
【発明の効果】
以上説明したように、本発明の電話端子板の無瞬断代用端子板によれば、第１の端子板と第２の端子板とを回線に存在させた状態で、第１の端子板本体のＵスリット端子に局側の電話ケーブルの電話ケーブル心線の中心導体を圧入接続し、第２の端子板本体のＵスリット端子に端末側の電話ケーブルの電話ケーブル心線の中心導体を圧入接続することで、第１の端子板と第２の端子板との間の経路に対するバイパス経路を構成することができ、この状態で第１の端子板と第２の端子板との間の経路の撤去を行うことにより、回線の瞬断を伴うことなく既存の電話端子板の変更作業が行われる。
【００４３】
また、第１の端子板本体及び第２の端子板本体によるバイパス経路中に監視装置を介在させるとき、第１のコネクタと監視装置の第２のコネクタとを接続し、他方の第１の端子板本体又は第２の端子板本体の連結ケーブルと監視装置とを接続することで、第１の端子板と第２の端子板との間の経路に対するバイパス経路を構成することができ、この状態で第１の端子板と第２の端子板との間の経路の撤去を行うことにより、回線の瞬断を伴うことなく監視装置の増設作業が行われる。
【００４４】
したがって、加入者側の回線の瞬断を伴うことなく既存の電話端子板の変更やビル用集合保安器等の監視装置の増設を、適切且つ確実に行うことができる。
【図面の簡単な説明】
【図１】本発明の電話端子板の無瞬断代用端子板をビル用集合保安器の取り付けに適用した場合の一実施の形態を示す斜視図である。
【図２】図１の無瞬断代用端子板を示す断面図である。
【図３】図２のＵスリット端子を示す斜視図である。
【図４】図１の無瞬断代用端子板によるビル用保安器の取付け方法を示す図である。
【図５】従来の電話ケーブルの引込み形態の一例を示す図である。
【符号の説明】
１０ａ，１１ａ  電話ケーブル心線
１０ｂ，１１ｂ  絶縁被覆
１０ｃ，１１ｃ  中心導体
１０，１１  電話ケーブル
５０，６０  無瞬断代用端子板
５１，６１  端子板本体
５２，６２  キャップ
５３，６３  押さえ込み片部
５３ａ，６３ａ，７１  ケーブル
５４  ＰＡＴコネクタ
５５，６４  Ｕスリット
５６，６５  Ｕスリット端子
５７，６６  Ｕ溝
７０  ビル用集合保安器
７２  コネクタ
【図１】
0004035192.tif 000002
【図２】
0004035192.tif 000003
【図３】
0004035192.tif 000004
【図４】
0004035192.tif 000005
【図５】
0004035192.tif 000006